(57)【特許請求の範囲】
【請求項１】
口にくわえることにより陽陰圧を入力する陽陰圧入力部と、この陽陰圧を測定する圧力センサと、同圧力センサからの信号を処理する処理部と、同処理部に接続され陽陰圧を時間軸と圧力軸で二次元表示する表示部とを有し、表示部には時間の進行に伴って時間軸の進行方向に対して前記陽陰圧を表示し、所定時間内における最大平均呼気口腔内圧（ＰＥｍａｘ）と所定時間内における最大平均吸気口腔内圧（ＰＩｍａｘ）とを測定する呼吸測定装置であって、
前記陽陰圧の表示は時間軸の所定位置を超えないようにスクロールされ、
前記陽陰圧が呼気閾値（＋ＰＥｔｈ）または吸気閾値（−ＰＩｔｈ）に至る閾値到達時点以降、前記スクロールを停止すると共に前記陽陰圧が再度前記呼気閾値または前記吸気閾値に至る閾値再到達時点まで、時間軸の進行方向に対して前記陽陰圧を表示する呼吸測定装置。
【請求項２】
前記閾値到達時点以降、時間軸の進行方向に対して表示される前記陽陰圧の二次元グラフに、さらに最大平均呼気口腔内圧（ＰＥｍａｘ）及び最大平均吸気口腔内圧（ＰＩｍａｘ）の算出時間範囲（Ａｅ，Ａｉ）を表示する請求項１記載の呼吸測定装置。
【請求項３】
前記閾値再到達時点以降で所定設定時間後に前記陽陰圧の表示を停止する請求項１記載の呼吸測定装置。
【請求項４】
前記圧力センサで陽圧を検出することにより最大平均呼気口腔内圧（ＰＥｍａｘ）測定用の陽圧グラフ軸を表示し、前記圧力センサで陰圧を検出することにより最大平均吸気口腔内圧（ＰＩｍａｘ）測定用の陰圧グラフ軸を表示する請求項１記載の呼吸測定装置。
【請求項５】
データを記憶するメモリをさらに備え、前記閾値到達時点以降データ記憶を開始し、前記閾値再到達時点以降、データ記憶を終了する請求項１記載の呼吸測定装置。
【請求項６】
前記圧力センサと前記処理部とは筐体に収納され、前記陽陰圧入力部と前記圧力センサとの間をチューブで接続してある請求項１〜５のいずれかに記載の呼吸測定装置。
【請求項７】
陽陰圧入力部に外部と接続して開閉可能なバイパス用のバルブを備え、同バルブの弁座に押圧力を抵抗値に変換する第二圧力センサを設け、同第二圧力センサによる電圧が所定の閾値Ｖｔｈを超えた場合には、バルブが閉じられている適性な測定状態であるとの判定を行う請求項１〜５のいずれかに記載の呼吸測定装置。
【請求項８】
さらに最大呼気口腔内圧（ＰＥｐｅａｋ）及び最大吸気口腔内圧（ＰＩｐｅａｋ）が測定可能であり、前記陽陰圧入力部と前記圧力センサとの間に吸息筋訓練器又は呼気陽圧訓練器を接続可能な訓練器接続部を備えている請求項１〜５のいずれかに記載の呼吸測定装置。
【請求項９】
さらに最大呼気口腔内圧（ＰＥｐｅａｋ）及び最大吸気口腔内圧（ＰＩｐｅａｋ）が測定可能であり、前記陽陰圧入力部と前記圧力センサとの間に吸息筋訓練器又は呼気陽圧訓練器を接続可能な訓練器接続部を備え、前記陽陰圧入力部に校正圧力調節用シリンダーを接続可能である請求項１〜５のいずれかに記載の呼吸測定装置。
【発明の詳細な説明】
【技術分野】
【０００１】
本発明は、呼吸測定装置に関する。さらに詳しくは、口にくわえることにより陽陰圧を入力する陽陰圧入力部と、この陽陰圧を測定する圧力センサと、同圧力センサからの信号を処理する処理部と、同処理部に接続され陽陰圧を時間軸と圧力軸で二次元表示する表示部とを有し、表示部には時間の進行に伴って時間軸の進行方向に対して前記陽陰圧を表示し、所定時間内における最大平均呼気口腔内圧（ＰＥｍａｘ）と所定時間内における最大平均吸気口腔内圧（ＰＩｍａｘ）とを測定する呼吸測定装置に関する。
【背景技術】
【０００２】
従来より呼吸測定装置としては、特許文献１、２に記載されているような呼吸機能検査装置が知られている。前者は安静呼吸状態等の呼吸努力を要しない状態で呼吸機能検査を行うことを目的とし、測定系統に抵抗体を備え、その抵抗体有無又は抵抗の負荷度合いによる口腔内圧の変化により呼吸機能を診断する。後者は、測定結果に対して予め登録してあるデータベースから、その登録されている数値と測定結果を比較して自動的に呼吸機能の低下度合いや、病期分類が文字により表示される。
【０００３】
一方、最大平均呼気口腔内圧（ＰＥｍａｘ）及び最大平均吸気口腔内圧（ＰＩｍａｘ）の測定にあっては、呼気または吸気は被験者のコンディションによって変化するため、これらの状況が適切であるかをチェックしながら試験を行うのが望ましい。しかし、限られた表示部で最大平均呼気口腔内圧（ＰＥｍａｘ）及び最大平均吸気口腔内圧（ＰＩｍａｘ）を適切に表示するための工夫については上記先行技術を始め他の文献にも記載が見られない。
【先行技術文献】
【特許文献】
【０００４】
【特許文献１】特開２０１２−１８７２９２号公報
【特許文献２】国際公開第２００５／１１５２４０号
【発明の概要】
【発明が解決しようとする課題】
【０００５】
かかる従来の実情に鑑みて、本発明は、呼吸筋力測定時において、呼気または吸気の適切性を判断できるように口腔内圧力を表示可能な呼吸測定装置を提供することを目的とする。
【課題を解決するための手段】
【０００６】
上記目的を達成するため、本発明に係る呼吸測定装置の特徴は、口にくわえることにより陽陰圧を入力する陽陰圧入力部と、この陽陰圧を測定する圧力センサと、同圧力センサからの信号を処理する処理部と、同処理部に接続され陽陰圧を時間軸と圧力軸で二次元表示する表示部とを有し、表示部には時間の進行に伴って時間軸の進行方向に対して前記陽陰圧を表示し、最大平均呼気口腔内圧（ＰＥｍａｘ）と最大平均吸気口腔内圧（ＰＩｍａｘ）とを測定する構成において、前記陽陰圧の表示は時間軸の所定位置を超えないようにスクロールされ、前記陽陰圧が呼気閾値（＋ＰＥｔｈ）または吸気閾値（−ＰＩｔｈ）に至る閾値到達時点以降、前記スクロールを停止すると共に前記陽陰圧が再度前記呼気閾値または前記吸気閾値に至る閾値再到達時点まで、時間軸の進行方向に対して前記陽陰圧を表示することにある。
【０００７】
同特徴構成によれば、前記陽陰圧の表示は時間軸の所定位置を超えないようにスクロールされるため、本来の測定に関係の無い部分の表示で表示部の画面が占有されることがない。しかも、時間軸の所定範囲で測定値がスクロールされるため、信号入力の状況はチェックされる。そして、前記陽陰圧が呼気閾値（＋ＰＥｔｈ）または吸気閾値（−ＰＩｔｈ）に至る閾値到達時点以降、前記スクロールを停止すると共に時間軸の進行方向に対して前記陽陰圧を表示する。これにより、測定の本質的部分の表示に表示部の画面を充当することができる。
【０００８】
呼気（吐気）または吸気は、最大平均呼気口腔内圧（ＰＥｍａｘ）及び最大平均吸気口腔内圧（ＰＩｍａｘ）の測定にあって、適切であるかどうかは、表示部のグラフを見ればある程度の判断は可能である。例えば、呼気が急に落ち込む場合は、マウスピース横からの呼気の漏れが予想される。心電図や血圧測定等と異なり、最大平均呼気口腔内圧（ＰＥｍａｘ）及び最大平均吸気口腔内圧（ＰＩｍａｘ）の測定は、呼気または吸気を時間の経過とともに例えば右側に順次表示されることにより、適切な測定となるように呼気または吸気を本人の意思で適切となるように調整することができる。
【０００９】
前記閾値到達時点以降、時間軸の進行方向に対して表示される前記陽陰圧の二次元グラフに、さらに最大平均呼気口腔内圧（ＰＥｍａｘ）及び最大平均吸気口腔内圧（ＰＩｍａｘ）の算出時間範囲（Ａｅ，Ａｉ）を表示するとよい。この算出時間範囲（Ａｅ，Ａｉ）の表示により測定の適切性がさらにチェック可能となる。
【００１０】
前記閾値再到達時点以降で所定設定時間後に前記陽陰圧の表示を停止してもよい。これにより、測定に必要な本質的部分のグラフが記録され、測定の適切性がグラフ全体のプロフィルより判定可能である。
【００１１】
前記圧力センサで陽圧を検出することにより最大平均呼気口腔内圧（ＰＥｍａｘ）測定用の陽圧グラフ軸を表示し、前記圧力センサで陰圧を検出することにより最大平均吸気口腔内圧（ＰＩｍａｘ）測定用の陰圧グラフ軸を表示してもよい。同構成によれば、将来に向かってグラフの本質的部分を表示する他、陽圧と陰圧により表示を切り替えて、最大平均呼気口腔内圧（ＰＥｍａｘ）または最大平均吸気口腔内圧（ＰＩｍａｘ）のいずれかに適切なグラフ範囲を大きく表示できることとなり、測定のチェックの精度が向上する。
【００１２】
データを記憶するメモリをさらに備え、前記閾値到達時点以降データ記憶を開始し、前記閾値再到達時点以降、データ記憶を終了してもよい。同構成により、データとして最大平均呼気口腔内圧（ＰＥｍａｘ）及び最大平均吸気口腔内圧（ＰＩｍａｘ）に必要な部分だけを合理的に保存することが可能となる。
【００１３】
前記圧力センサと前記処理部とは筐体に収納され、前記陽陰圧入力部と前記圧力センサとの間をチューブで接続することが好ましい。同構成によれば、陽陰圧入力部と本体とを離隔して、表示部による表示を被験者が目視で確認しながら測定を実施することができる。
【００１４】
陽陰圧入力部に外部と接続して開閉可能なバイパス用のバルブを備え、同バルブの弁座に押圧力を抵抗値に変換する第二圧力センサを設け、同第二圧力センサによる電圧が所定の閾値Ｖｔｈを超えた場合には、バルブが閉じられている適性な測定状態であるとの判定を行ってもよい。同構成によれば、マウスピース等を口にくわえた状態で呼気または吸気前の吸気または呼気動作を行うことができ、ボタンの押圧と判定により適切な測定動作をよりスムースに開始することができる。
【００１５】
さらに、最大呼気口腔内圧（ＰＥｐｅａｋ）及び最大吸気口腔内圧（ＰＩｐｅａｋ）を測定可能とし、前記陽陰圧入力部と前記圧力センサとの間に吸息筋訓練器又は呼気陽圧訓練器を接続可能な訓練器接続部を備えてもよい。ところで、吸息筋訓練器又は呼気陽圧訓練器は、弾性体により弁の開閉圧力を調整する必要がある。同構成によれば、これらの訓練器を本装置に接続することにより、最大呼気口腔内圧（ＰＥｐｅａｋ）及び最大吸気口腔内圧（ＰＩｐｅａｋ）の測定をもって、これら訓練器の負荷圧力を校正することができる。
【００１６】
そして、前記陽陰圧入力部に校正圧力調節用シリンダーを接続可能としてもよい。同シリンダーにより、安定して上記訓練器の校正作業が可能となる。
【発明の効果】
【００１７】
上記本発明に係る呼吸測定装置の特徴によれば、呼吸筋力測定時において、呼気または吸気の適切性を判断できるように口腔内圧力を表示可能な呼吸測定装置を提供するに至った。
【００１８】
本発明の他の目的、構成及び効果については、以下の発明の実施の形態の項から明らかになるであろう。
【図面の簡単な説明】
【００１９】
【図１】本発明にかかる呼吸測定装置の外観を示す図である。
【図２】図１のシステム構成を示す図である。
【図３】バイパス弁近傍の縦断面図である。
【図４】最大平均呼気口腔内圧（ＰＥｍａｘ）測定時の表示部を示す図である。
【図５】最大平均吸気口腔内圧（ＰＩｍａｘ）測定時の表示部を示す図である。
【図６】最大平均呼気口腔内圧（ＰＥｍａｘ）測定時の表示部を示す図であって、（ａ）は呼気閾値（＋ＰＥｔｈ）到達前の状態、（ｂ）は呼気閾値（＋ＰＥｔｈ）到達後の状態、（ｃ）は呼気閾値（＋ＰＥｔｈ）への再度の到達時の状態、（ｄ）は呼気閾値（＋ＰＥｔｈ）への再度到達後ＴＥ時間経過後の状態、（ｅ）はメモリへ取り込まれるデータのグラフと最大平均呼気口腔内圧（ＰＥｍａｘ）導出の時間範囲Ａｅを表示した状態である。
【図７】吸息筋訓練器の使用状態を示す図である。
【図８】吸息筋訓練器の縦断面図である。
【図９】図８のＡ−Ａ線断面図である。
【図１０】吸息筋訓練器の校正状態を示す図である。
【図１１】呼気陽圧訓練器の縦断面図である。
【図１２】呼気陽圧訓練器の校正状態を示す図である。
【図１３】最大吸気口腔内圧（ＰＩｐｅａｋ）を利用した校正時の表示部を示す図である。
【図１４】最大呼気口腔内圧（ＰＥｐｅａｋ）を利用した校正時の表示部を示す図である。
【発明を実施するための形態】
【００２０】
次に、適宜添付図面を参照しながら、本発明をさらに詳しく説明する。
図１、２は、本発明にかかる呼吸測定装置の外観、システム構成を示す図である。
呼吸測定装置１は陽陰圧入力部２，本体３を接続チューブ５で接続してなる。前記接続チューブ５の両端と前記陽陰圧入力部２，前記本体３とにはそれぞれソケット５ａが備わり、着脱自在に接続できる。陰陽圧入力部２はＨが口にくわえ、呼気、吸気を行い、その陽陰圧が前記接続チューブ５を通じて前記本体３の圧力センサ３１に送られ、前記本体３で測定がなされる。前記陰陽圧入力部２，前記本体３が分離してなり、前記本体３の表示部３３を見ながら、前記陰陽圧入力部２で呼気、吸気動作を行うことができる。
【００２１】
前記陰陽圧入力部２は、マウスピース２１，バクテリアフィルタ２２，胴部２３に分割されており、組み立て可能となっている。前記マウスピース２１は先端が細く薄く形成されており、口にくわえやすい。前記バクテリアフィルタ２２は、バクテリアが前記圧力センサ３１へ到達することを防ぐ。前記胴部２３の内部には気密空洞２３ａが収納され、前記マウスピース２１と前記バクテリアフィルタ２２に接続されて、呼気、吸気を前記接続チューブ５を通じて前記圧力センサ３１へと導く。圧力センサ３１は、ダイアフラム式のセンサであり、呼気、吸気の一部はリーク流路２９よりリークされる。前記気密空洞２３ａの上部にはバイパス弁２４が接続されており、通常は外気へ連通するバイパス路が形成されている。
【００２２】
測定にあたっては、前記バイパス弁２４がオープンの状態で吸気または呼気を行い、ボタン２５を押し前記バイパス弁２４を閉じてから測定を開始する。前記バイパス弁２４には圧電抵抗素子２７が接続され、具体的には、図３に示すように、弁座に抵抗体２６が設けられている。バイパス弁２４の押圧状態において前記圧電抵抗素子２７が受ける押圧力を抵抗値に変換し、所定の電圧を超えた場合に適性にバルブが閉じられていると判断される。
【００２３】
本体３は、筐体７の中に圧力センサ３１、処理部３２、表示部３３、操作部３４、通信制御部３５及びメモリ３６を備えてなる。表示部３３は例えば液晶ディスプレイが用いられ、図４−６のごときグラフが表示される。処理部３２のコントロールは操作部３４の操作によって行われ、表示部３３への表示内容が処理、生成される。接続チューブ５からの呼気の正圧、負圧は、圧力センサ３１で測定され、呼気は吸排気流路３７で外気に連通する。
【００２４】
処理部３２、通信制御部３５等で使用されるプログラムはメモリ３６に記憶され、処理部３２にロードされて実行される。また、処理部３２での処理により得られたデータは同時にメモリ３６に記憶されるため、このメモリ３６の一部は着脱可能に構成してもよい。通信制御部３５は測定結果を外部の機器にブルートゥース（登録商標）などの無線通信により送受信する。
【００２５】
上述の圧電抵抗素子２７のデータは、接続ケーブル６で処理部３２に送られる。通信モジュール２８で前記通信制御部３５に送ることもできる。呼吸筋力測定において適切な測定が開始できるか否かの判断材料として、上記抵抗値の電圧が本体３に送られる。同時に、測定開始のトリガーとしても使うこともできる。
【００２６】
図４は表示部３３に表示される最大平均呼気口腔内圧（ＰＥｍａｘ）の測定状態のグラフであり、例えば、縦軸に口腔内圧力、横軸に時間をとる。測定に際しては、先のボタン２５解放状態で可能な限り吸気し、限界に達した時点でボタン２５を押して弁を閉じ、ノズルに呼気することで測定を開始する。このグラフでは、便宜上、データ記録開始時Ｔｅ１を時刻ゼロとし、右に向かって時刻の経過を表示しているが、実際の時刻目盛りは図６のように固定してもよい。
【００２７】
測定開始後の待機時は図６で後述するように左から１秒（折り返し時間ＴＲ）以内の位置で測定値が順次左側にスクロールされる。口腔内圧が閾値＋ＰＥｔｈに到達した時点（Ｔｅ１）から表示のスクロールを停止し、右側に向かってグラフが描かれる。再度閾値＋ＰＥｔｈに到達した時点（Ｔｅ２）から所定時間ＴＥ後に表示を停止する。例えば閾値（+ＰＥｔｈ）として６００Ｐａ、ＴＥとして１．５秒を設定することができる。
【００２８】
口腔内圧力は順次圧力センサ３１で測定され、時間ごとに処理部３２及びメモリ３６に蓄積、積分計算される。このとき、所定時間、例えば、算出時間範囲Ａｅ＝１秒の範囲での移動平均を算出し、その移動平均の最大値が最大平均呼気口腔内圧（ＰＥｍａｘ）であり、処理部３２で計算され、表示部３３に表示される。当該最大平均呼気口腔内圧（ＰＥｍａｘ）の算出時間範囲（Ａｅ）の位置、測定範囲における最大呼気口腔内圧（ＰＥｐｅａｋ） も表示される。
【００２９】
口腔内圧力は順次圧力センサ３１で測定され、時間ごとに処理部３２及びメモリ３６に蓄積、積分計算される。このとき、算出時間範囲Ａｅ＝１秒の範囲での平均の口腔内圧力が最大平均呼気口腔内圧（ＰＥｍａｘ）である。当該最大平均呼気口腔内圧（ＰＥｍａｘ）の算出時間範囲（Ａｅ）の位置も表示される。
【００３０】
図５は表示部３３に表示されるＰＩｍａｘの測定状態のグラフであり、例えば、縦軸にマイナスの口腔内圧力、横軸に時間をとる。スクロールや測定開始は上記図４と同様であり、吸気測定・口腔内圧がマイナスである部分が異なる。可能な限り排気し、限界に達した時点でボタン２５を押して弁を閉じ、吸気することにより測定を開始する。
【００３１】
算出時間範囲Ａｉ＝１秒の範囲での移動平均の最大絶対値をとる値が最大平均吸気口腔内圧（ＰＩｍａｘ）であり、表示部３３に表示される。当該最大平均吸気口腔内圧（ＰＩｍａｘ）の算出時間範囲（Ａｉ）の位置、測定範囲における最大吸気口腔内圧（ＰＩｐｅａｋ） も表示される。
【００３２】
口腔内圧が閾値−ＰＩｔｈに到達した時点（Ｔｉ１）から表示のスクロールを停止し、右側に向かってグラフが描かれる。再度閾値−ＰＩｔｈに到達した時点（Ｔｉ２）から所定時間ＴＩ後に表示を停止する。例えば、本実施形態では、閾値（−ＰＩｔｈ）として−６００Ｐａ、遮断時間ＴＩとして１．５秒を設定してある。
【００３３】
図４に関する最大平均呼気口腔内圧（ＰＥｍａｘ）の表示の例を図６を参照しながら時系列で説明する。図６（ａ）は呼気閾値（＋ＰＥｔｈ）到達前の状態であり、表示部３３には７秒超の時間軸が横軸として表示され、この横軸の１秒の範囲で表示は左へスクロールされる。１秒以内であれば、右に向かって表示され、１秒に達した時点で、現時点の値は１秒の位置に表示され、過去の値は左にスクロールされる。
【００３４】
図６（ｂ）に示すように、口腔内圧力が呼気閾値（＋ＰＥｔｈ）に到達した後は、折り返し時間である１秒の位置から右に向かって表示がなされる。これにより、被験者である人Ｈは、自らの呼気の状態が正常であるかどうかを確認しつつ測定を行うことができ、呼気の漏れ、息切れなどの状態をチェックすることができる。
【００３５】
図６（ｃ）は呼気閾値（＋ＰＥｔｈ）への再度の到達時の状態である。その後、図６（ｄ）に示す呼気閾値（＋ＰＥｔｈ）への再度到達後の遮断時間ＴＥ（＝１．５秒）経過後に測定は停止される。図６（ｅ）はメモリ３３へ取り込まれるデータのグラフと最大平均呼気口腔内圧（ＰＥｍａｘ）導出の時間範囲Ａｅを表示した状態である。メモリ３３に取り込まれたデータは通信制御部３７を通じて、または、メモリ３３を取り外してパーソナルコンピュータ等に転送され、処理が可能である。
【００３６】
図５のＰＩｍａｘの測定に関しては、図６とは口腔内圧力がプラスマイナス反転するのみで、他は同様である。ＰＥｍａｘ、ＰＩｍａｘの切り替えは、圧電抵抗素子２７による正常測定開始検出後、圧力センサ３１による最初の測定の口腔内圧力により処理部３２で判定され、表示部３３の表示が切り替えられる。圧力センサ３１による計測が陽圧のときは、口腔内圧力をプラス軸で表示してＰＥｍａｘを測定・表示し、圧力センサ３１による計測が陰圧のときは、口腔内圧力をマイナス軸で表示してＰＩｍａｘを測定・表示する。
【００３７】
上記実施形態では、表示部によるスクロール表示を最大１秒に到達した時点で順次左送りとしたが、１秒ごとに表示をリフレッシュして、右端から始めても良い。この場合１秒ごとに左端から右端にグラフが描かれることとなる。
【００３８】
次に、図７〜図１０を参照しながら、吸息筋訓練器の仕組みと本装置を用いた訓練器の校正について説明する。
吸息筋訓練器４０は、図７に示すように、被験者Ｈが本体４１を把持してマウスピース４２を口にくわえ、吸気弁の解放圧力に抗しながら一定圧力で吸気を続けることにより、吸息筋を訓練するものである。この吸気弁の解放圧力を本発明の装置１を用いることで、校正することが目的である。
【００３９】
この吸息筋訓練器４０は、図８，９に示すように、本体４１にマウスピース４２を嵌合させてなり、本体４１は、筐体４３、吸気弁４４及びその調節機構４５を備えている。筐体４３は径の異なる４つの円筒が順次組み合わさった中空筒であり、吸気弁４４の弁体４４ａをスプリング４５ｃで閉じ、スライダー４５ａを回転体４５ｂで調整する。弁体４４ａは３本のハブに支持されたボスにスライド自在に嵌合する軸よりなるスライド機構４４ｃで筐体４３に支持されている。
【００４０】
調節機構４５において、スライダー４５ａは筐体４３内の３ヶ所に設けられた突条４３ａに溝４５ａ１を嵌め込んで、回転はしないが軸方向に移動する構造である。一方、回転体４５ｂは３枚の板状体が１２０度隔てて合わさったもので、軸方向に空気の流通を許容し、筐体４３のマウスピース側段差に係止して軸方向の抜けが防止され、周囲に形成した雄ねじ部５ｂ２をスライダー内部の雌ねじ部４５ａ２に螺合させて、摘み４５ｂ１の回転操作でスライダー４５ａの位置を決める。スライダー４５ａはその位置が目盛４１ａで表示され、スプリング４５ｃで弁体４４ａを弁座４４ｂに押し付け、弁体の解放圧力を表示するのであるが、必ずしも正確な開放圧力の表示されていない場合もある。
【００４１】
そこで、図１０のように、吸息筋訓練器４０を本装置１に接続し、弁体の解放圧力を校正する。本実施形態では、呼吸測定装置１は３方につながるＴ字管６０を備えている。Ｔ字管６０の右側には、先のマウスピース４２を取り外した孔に嵌合できる筒部を介して吸息筋訓練器４０を接続してある。一方、Ｔ字管６０の左側には、校正圧力調整用シリンダー７０を筒部を介して接続してある。Ｔ字管６０の左側の筒部には先のマウスピース２１やバクテリアフィルタ２２を接続可能であり、右側の筒部をキャップで塞ぐことにより、第一実施形態と同様の測定が可能となる。
【００４２】
校正に際しては、ノブ７２を引き出してピストン７１を左側に移動させることにより、吸息筋訓練器４０に負圧を付与する。このとき、１の表示部には、図１３に示すように、最大吸気口腔内圧（ＰＩｐｅａｋ）が表示され、この値をもって吸息筋訓練器４０の負荷圧力とする。また、この値が所定の値と異なる場合には、先の摘み４５ｂ１を回転させて、弁体４４ａの解放圧力を調整する。
【００４３】
本発明に係る呼吸測定装置１は呼気陽圧訓練器５０の校正にも適用が可能であり、吸気を呼気に変えればよい。図１１の呼気陽圧訓練器の縦断面図、図１２の呼気陽圧訓練器の校正状態を示す図、図１４の最大呼気口腔内圧（ＰＥｐｅａｋ）を利用した校正時の表示部に構造と方法を記載した。呼気陽圧訓練器５０の構造は、吸息筋訓練器４０とは吸気を呼気に変えればよく、説明は省略する。たとえば、弁体４４ａは弁体５４ａと対応する。
【００４４】
なお、呼気閾値（＋ＰＥｔｈ）、吸気閾値（−ＰＩｔｈ）、遮断時間（ＴＥ，ＴＩ）、折り返し時間（ＴＲ）、算出時間範囲Ａｅ，Ａｉは上記実施形態に限らず任意の値に適宜設定が可能である。
【産業上の利用可能性】
【００４５】
本発明は、呼吸測定装置のほか、モニタを行いながら呼気、吸気を測定する呼吸関係の測定器に適用が可能である。
【符号の説明】
【００４６】
１：呼吸測定装置（呼吸筋力測定装置），２：陽陰圧入力部，３：本体，５：接続チューブ，５ａ：ソケット，６：接続ケーブル，７：筐体，Ｈ：被験者、２１：マウスピース，２２：バクテリアフィルタ，２３：胴部，２３ａ：気密空洞，２４：バイパス弁，２５：ボタン，２６：抵抗体，２７：圧電抵抗素子，２８：通信モジュール，２９：リーク流路，３１：圧力センサ，３２：処理部，３３：表示部，３４：操作部，３５：通信制御部，３６：メモリ，３７：吸排気流路，４０：吸息筋訓練器、４１：本体、４１ａ：目盛、４２：マウスピース、４３：筐体、４３ａ：突条、４４：吸気弁、４４ａ：弁体、４４ｂ：弁座、４４ｃ：スライド機構、４５調節機構、４５ａ：スライダー、４５ａ１：溝、４５ａ２：雌ねじ部、４５ｂ：回転体、４５ｂ１：摘み、４５ｂ２：雄ねじ、４５ｃ：スプリング、５０：呼気陽圧訓練器、５１：本体、５１ａ：目盛、５３：筐体、５３ａ：突条、５４：吸気弁、５４ａ：弁体、５４ｂ：弁座、５４ｃ：スライド機構、５５調節機構、５５ａ：スライダー、５５ａ１：溝、５５ａ２：雌ねじ部、５５ｂ：回転体、５５ｂ１：摘み、５５ｂ２：雄ねじ、５５ｃ：スプリング、６０：Ｔ字管、７０：校正圧力調節用シリンダー、７１：ピストン、７２：ノブ
【図１】
0006598195.tif 000002
【図２】
0006598195.tif 000003
【図３】
0006598195.tif 000004
【図４】
0006598195.tif 000005
【図５】
0006598195.tif 000006
【図６】
0006598195.tif 000007
【図７】
0006598195.tif 000008
【図８】
0006598195.tif 000009
【図９】
0006598195.tif 000010
【図１０】
0006598195.tif 000011
【図１１】
0006598195.tif 000012
【図１２】
0006598195.tif 000013
【図１３】
0006598195.tif 000014
【図１４】
0006598195.tif 000015